(57)【要約】【課題】  高硬度の水を衣料の洗浄液として使用しても、低硬度の水を使用した場合と同等の泥汚れの洗浄性を維持でき、有機化合物を増やさなくても泥汚れの洗浄性を向上できる技術の提供。【解決手段】  下記（Ａ）成分と水を混合して得られる洗浄液で泥汚れが付着した衣料を洗濯洗浄する、泥汚れの洗浄方法であって、水のドイツ硬度が８°ｄＨ以上、１１°ｄＨ未満であり、洗浄液中の（Ａ）成分の濃度が３００ｍｇ／ｋｇ以上１０００ｍｇ／ｋｇ以下であるものにおいて、下記（Ｂ）成分を添加することにより水のドイツ硬度を３°ｄＨ以上、１０°ｄＨ以下増加させる泥汚れの洗浄性向上方法。（Ａ）成分：スルホン酸基又は硫酸エステル基及びそれらの塩から選ばれる１種以上から選ばれるアニオン界面活性剤（Ｂ）成分：マグネシウム塩及びカルシウム塩から選ばれる１種以上の化合物であって、水に対する溶解度が１０℃において１０重量％以上の化合物【選択図】  なし【特許請求の範囲】
【請求項１】
下記（Ａ）成分であるアニオン界面活性剤と洗浄に使用する水を混合して得られる洗浄液で泥汚れが付着した衣料を洗浄する、泥汚れの洗浄方法であって、前記洗浄に使用する水の硬度がドイツ硬度で８°ｄＨ以上、１１°ｄＨ未満であり、前記洗浄液中の前記アニオン界面活性剤の濃度が３００ｍｇ／ｋｇ以上、１０００ｍｇ／ｋｇ以下であるものにおいて、衣料の洗浄前又は衣料の洗浄開始時に下記（Ｂ）成分を添加することにより前記水のドイツ硬度を３°ｄＨ以上、１０°ｄＨ以下増加させる、泥汚れの洗浄性向上方法。
（Ａ）成分：スルホン酸基又は硫酸エステル基及びそれらの塩から選ばれる１種以上のアニオン界面活性剤
（Ｂ）成分：マグネシウム塩及びカルシウム塩から選ばれる１種以上の化合物であって、水に対する溶解度が１０℃において１０重量％以上の化合物
【請求項２】
前記アニオン界面活性剤が、下記（ａ１）及び（ａ２）から選ばれる１種以上の化合物である、請求項１に記載の泥汚れの洗浄性向上方法。
（ａ１）成分：アルキル基の炭素数が１０以上、１６以下のアルキルベンゼンスルホン酸塩
（ａ２）成分：アルキル基の炭素数が１０以上、１６以下のアルキル硫酸エステル塩及びアルキル基の炭素数が１０以上、１６以下であり、炭素数２又は３のオキシアルキレン基の平均付加モル数が１モル以上、３モル以下である、ポリオキシアルキレンアルキルエーテル硫酸エステル塩
【請求項３】
（Ｂ）成分が、硫酸マグネシウム、塩化マグネシウム、硝酸マグネシウム及び塩化カルシウムから選ばれる１種以上の化合物である、請求項１又は２記載の泥汚れの洗浄性向上方法。
【請求項４】
洗浄液中にキレート剤〔（Ｃ）成分〕を含有し、その含有量が、（Ｃ）成分の質量と（Ｂ）成分中のカルシウムイオン及びマグネシウムイオンから選ばれる１種以上のイオンとの質量（（Ｂ１）と称する）との質量比で、（Ｃ）／（Ｂ１）＝１５以下となる量である、請求項１〜３の何れかに記載の泥汚れの洗浄性向上方法。
【請求項５】
（Ａ）成分が（ａ１）成分及び（ａ２）成分を、（ａ１）成分と（ａ２）との質量比で、０／１０以上、５／１以下含むアニオン界面活性剤であり、（Ｂ）成分が、マグネシウムイオンとカルシウムイオンとの質量比が、マグネシウムイオン／カルシウムイオンの比で、４／６以上、１０／０以下の質量比で含む、請求項２に記載の泥汚れの洗浄性向上方法。
【請求項６】
（Ａ）成分が（ａ１）成分及び（ａ２）成分を、（ａ１）成分と（ａ２）との質量比で、５／１を超え、１０／０以下の質量比で含むアニオン界面活性剤であり、（Ｂ）成分が、マグネシウムイオンとカルシウムイオンとの質量比が、マグネシウムイオン／カルシウムイオンの比で、０／１０以上、４／６未満の質量比で含む、請求項２に記載の泥汚れの洗浄性向上方法。
【請求項７】
（Ｂ）成分が下記〔１〕〜〔３〕のいずれかの方法によって洗浄液に添加される、請求項１〜６の何れかに記載の泥汚れの洗浄性向上方法。
〔１〕（Ａ）成分とは別に洗浄液に添加する方法。
〔２〕（Ａ）成分と（Ｂ）成分を含有する混合物を洗浄液に添加する方法。
〔３〕（Ｂ）成分を水と予め混合する方法。
【請求項８】
洗浄方法が衣料と洗浄液を接触させて手で衣料を洗う洗浄方法である、請求項１〜７の何れかに記載の泥汚れの洗浄性向上方法。
【発明の詳細な説明】
【技術分野】
【０００１】
本発明は泥汚れ洗浄方法に関し、特に衣料に付着した泥汚れを洗浄し除去する泥汚れの洗浄性向上方法に関する。
【背景技術】
【０００２】
衣料に付着する汚れの種類の一つとして泥汚れがある。白物衣料に泥汚れが付着すると、汚れが目立ちやすく且つ落ちにくいことが知られている。衣料の洗浄に使用する水は水道水が一般的に使用される。日本国内の水道水の硬度は１〜５°ｄＨ（ドイツ硬度）が多い。しかしながら、日本国内の一部地域の水道水は高硬度であり、また井戸水や河川水を衣料の洗浄に使用する地域などでは、８〜１１°ｄＨの高い硬度の水が衣料の洗浄に使用される場合がある。衣料の洗浄に使用する水の硬度が高くなると、硬度成分として知られているカルシウムイオンとアニオン界面活性剤がスカムを形成し、洗浄力が低下することが知られている。
【０００３】
特許文献１には、泥汚れを除去する技術として、キレート剤と共にアミン系活性剤や第４級アンモニウム塩系活性剤を用いる技術が記載されている。特許文献２には、マグネシウム化合物やカルシウム化合物を用いて被覆することで、衣料用洗浄剤が冷水に分散しやすくなる技術が記載されている。
【先行技術文献】
【特許文献】
【０００４】
【特許文献１】特開２００５−２０６８３３号公報
【特許文献２】特開２００３−３３６０９４号公報
【発明の概要】
【発明が解決しようとする課題】
【０００５】
上記のように泥汚れは目立ちやすく落ちにくい汚れであるが、洗浄に使用する水の硬度が高くなると、より落ちにくくなることが懸念される。そこで高い硬度の水を使用しても、衣料に付着した泥汚れの洗浄性を硬度が低い場合と同様に維持できる技術が求められている。泥汚れを衣料から落とす技術として、特許文献１で開示されているキレート剤とアミン系活性剤を用いる技術は、水の硬度に起因する課題に関するものではない。また特許文献２に記載の技術は、マグネシウム塩やカルシウム塩を使用することで、洗剤の水への分散性を高める技術であり、硬度が高い水を使用した洗浄や、泥汚れに関する課題に関して記載はない。
本発明の課題は、８〜１１°ｄＨの高い硬度の水を衣料の洗浄液として使用しても、硬度が低い水を衣料の洗浄液として使用した場合と同等の泥汚れの洗浄性を維持できる、泥汚れの洗浄性を向上できる技術を提案することにある。
【課題を解決するための手段】
【０００６】
本発明者らは、硬度が高い水を使用した洗浄液の硬度を更に高めることで、硬度が低い水を使用した場合の泥汚れの洗浄性と同等の洗浄性を維持できることを見出し、本発明に至った。即ち本発明は、下記（Ａ）成分であるアニオン界面活性剤と水を混合して得られる洗浄液で泥汚れが付着した衣料を洗浄する、泥汚れの洗浄方法であって、前記水の硬度がドイツ硬度で８°ｄＨ以上、１１°ｄＨ未満であり、前記洗浄液中の前記アニオン界面活性剤の濃度が３００ｍｇ／ｋｇ以上、１０００ｍｇ／ｋｇ以下であるものにおいて、衣料の洗浄前又は衣料の洗浄開始時に下記（Ｂ）成分を添加することにより前記水のドイツ硬度を３°ｄＨ以上、１０°ｄＨ以下増加させる、泥汚れの洗浄性向上方法に関する。
（Ａ）成分：スルホン酸基又は硫酸エステル基及びそれらの塩から選ばれる１種以上のアニオン界面活性剤
（Ｂ）成分：マグネシウム塩及びカルシウム塩から選ばれる１種以上の化合物であって、水に対する溶解度が１０℃において１０重量％以上の化合物
【発明の効果】
【０００７】
本発明によれば、洗浄に使用する水の硬度が高く、泥汚れの洗浄性が懸念される環境において、自然環境に存在するような特定の無機塩を洗浄液中に追加的に用いることで、有機化合物の量を増やすことなしに泥汚れの洗浄性を向上させることができる。
【０００８】
本発明の方法によれば、硬度が８°ｄＨ以上の水を洗浄に使用した場合に、衣料の洗浄前又は衣料の洗浄開始時に（Ｂ）成分の添加によって泥汚れの洗浄性が向上する。一般的に（Ｂ）成分は水の硬度成分として知られており、水に含まれる硬度成分は洗浄液中で洗浄成分であるアニオン界面活性剤とスカム化し、洗浄効果を低下させると言われている。従って、８°ｄＨ以上と硬度が高い水の硬度を更に高めることで、泥汚れの洗浄性が向上する現象は、当業者が予期しない意外な効果である。硬度を更に高めることで、泥汚れの洗浄性が高くなる理由は必ずしも明らかではないが、本発明者は以下のように推測している。即ち（Ａ）成分であるアニオン界面活性剤と（Ｂ）成分が洗浄水中で形成したコンプレックスが泥汚れに吸着しやすくなり、泥汚れを衣料から水中に分散させる効果が高まったものと考えている。
【発明を実施するための形態】
【０００９】
＜（Ａ）成分＞
（Ａ）成分は、スルホン酸基又は硫酸エステル基及びそれらの塩から選ばれる基を有するアニオン界面活性剤である。より具体的には、アニオン界面活性剤は、下記（ａ１）成分及び（ａ２）成分から選ばれる１種以上の化合物である。
（ａ１）成分：アルキル基の炭素数が１０以上、１６以下のアルキルベンゼンスルホン酸又はその塩
（ａ２）成分：アルキル基の炭素数が１０以上、１６以下のアルキル硫酸エステル塩及びアルキル基の炭素数が１０以上、１６以下であり、炭素数２又は３のオキシアルキレン基の平均付加モル数が１モル以上、３モル以下である、ポリオキシアルキレンアルキルエーテル硫酸エステル塩
【００１０】
（ａ１）成分のアルキルベンゼンスルホン酸又はその塩としては、特に限定されるものではないが、泥汚れの洗浄性の点で、アルキル基の炭素数が１０以上、更に１２以上、そして、１５以下、更には１４以下のアルキル基が好ましい。好ましくは直鎖アルキル基を有するアルキルベンゼンスルホン酸塩が挙げられる。化合物の入手がしやすい観点から、アルキルベンゼンスルホン酸の塩としては、ナトリウム、カリウムなどのアルカリ金属塩、アルカノールアミン塩などを挙げることができる。（Ａ）成分を含有する洗浄剤組成物を調製する場合、アルキルベンゼンスルホン酸（酸型）を組成物中に添加し、粉体成分の混合系内でアルカリと中和反応させアルキルベンゼンスルホン酸塩としてもよいし、予め中和した後、組成物中に添加してもよい。アルキルベンゼンスルホン酸の中和には、水酸化ナトリウム、水酸化カリウム、水酸化リチウム、水酸化アンモニウムなどの塩基を用いることができる。
【００１１】
（ａ２）成分の具体例としては、アルキル基の炭素数が１０以上、１６以下のアルキル硫酸エステル塩及びアルキル基の炭素数が１０以上、１６以下であり、炭素数２又は３のオキシアルキレン基の平均付加モル数が１モル以上、３モル以下である、ポリオキシアルキレンアルキルエーテル硫酸エステル塩が挙げられる。アルキル基は、炭素数１０以上、そして１６以下のアルキル基、好ましくは直鎖アルキル基が好ましい。より好ましいアルキル基は、泥汚れの洗浄性の点で、炭素数１２以上、１４以下のアルキル基である。ポリオキシアルキレン基としては、炭素数２又は３のオキシアルキレン基であり、エチレンオキシ基及びプロピレンオキシ基から選ばれる基が好ましく、エチレンオキシ基が最も好ましい。ポリオキシアルキレン基のポリとは前記オキシアルキレン基が平均で１以上、３モル以下付加していることを表す。
【００１２】
硫酸エステル塩を構成する塩はナトリウム、カリウムなどのアルカリ金属の塩、アルカノールアミンの塩、及びマグネシウム、カルシウムなどのアルカリ土類金属の塩などを挙げることができるが、化合物の入手性の観点からアルカリ金属の塩が好ましく、ナトリウムの塩がより好ましい。本発明に記載の（Ａ）成分の質量は、アニオン界面活性剤の対イオンをＮａ塩に換算した値を用いる。
【００１３】
＜洗浄液中のアニオン界面活性剤の濃度＞
洗浄液中の（Ａ）成分、即ちアニオン界面活性剤の濃度は、３００ｍｇ／ｋｇ以上、１０００ｍｇ／ｋｇ以下であり、泥汚れの洗浄性の観点から、３５０ｍｇ／ｋｇ以上が好ましく、４００ｍｇ／ｋｇ以上が好ましく、４５０ｍｇ／ｋｇ以上が好ましく、５００ｍｇ／ｋｇ以上が更に好ましい。経済性の点から、９００ｍｇ／ｋｇ以下が好ましく、８００ｍｇ／ｋｇ以下がより好ましい。
【００１４】
＜水の硬度＞
本発明において、水の硬度はドイツ硬度を意味する。ドイツ硬度で１°ｄＨとは水１リットル中のＣａＯの量が１０ｍｇであることを意味する。格別の記載がない限り、「硬度」はカルシウムイオンとマグネシウムイオンの合計の硬度をＣａＯに換算した値を意味する。本発明において、水の硬度はエチレンジアミン四酢酸二ナトリウムを用いたキレート滴定法で求めた値であるか、又は、水に添加した硬度成分の質量から計算で求めた値を意味する。
【００１５】
本発明の方法による泥汚れの洗浄性の向上を実感できる水の硬度は８°ｄＨ以上、１１°ｄＨ未満であり、泥汚れの洗浄性の向上度合が大きく感じられる点において、１０°ｄＨ以下が好ましい。泥汚れの洗浄性が高い点において、９°ｄＨ以上が好ましく、１０°ｄＨ以上がより好ましい。
【００１６】
キレート滴定法による水の全硬度の測定は以下の方法により行うことが出来る。
〔試薬〕
・０．０１Ｍ  滴定液（キレート滴定用試薬、エチレンジアミン四酢酸二ナトリウム溶液（０．０１Ｍ）、(株)同仁化学研究所製）
・Ｕｎｉｖｅｒｓａｌ  ＢＴ指示薬（製品名：Ｕｎｉｖｅｒｓａｌ  ＢＴ、(株)同仁化学研究所製）
・硬度測定用アンモニア緩衝液（塩化アンモニウム６７．５ｇを２８ｗ／ｖ％アンモニア水５７０ｍｌに溶解し、イオン交換水で全量を１リットルとした溶液）
【００１７】
〔全硬度の測定〕
（１）試料となる水５０ｍｌをホールピペットでコニカルビーカーに採取。
（２）硬度測定用アンモニア緩衝液１ｍＬ添加する。
（３）Ｕｎｉｖｅｒｓａｌ  ＢＴ指示薬を２滴添加する。
（４）コニカルビーカーをよく振り混ぜながら、ビュレットから０．０１Ｍ  滴定液を滴下し、試料となる水の赤みが消える点を終点とした。
（５）全硬度は下記の算出式で求める。
全硬度 ＝ ａ×（１０００／ｂ）×ｆ×〔（５６／１００）÷１０〕
全硬度：ｍｇＣａＯ／Ｌ
ａ：０．０１Ｍ  滴定液の滴定量（ｍＬ）
ｂ：５０（ｍＬ、試料となる水の容量）
ｆ：０．０１Ｍ  滴定液のファクター
〔（５６／１００）÷１０〕：上記に記載のキレート滴定法は、アメリカ硬度（水１リットル中に含まれるＣａＣＯ3のｍｇ数）を求める方法であり、この係数はアメリカ硬度をドイツ硬度に換算する係数である。
【００１８】
＜衣料の洗浄方法＞
本発明において、泥汚れが付着した衣料を洗浄する方法は、典型的には衣料を手洗いする洗浄方法が好ましいが、機械的洗浄手段が排除されるものではない。より具体的には、泥汚れが付着した部分を手でもみ洗いする洗浄方法、手にブラシを持ち泥汚れを擦る洗浄方法、衣料の洗浄に用いる板に、泥汚れが付着した衣料を手で押し付けて擦る洗浄方法が挙げられる。
【００１９】
洗浄液の温度は、泥汚れの洗浄性の点で、５℃以上、４０℃以下が好ましく、１０℃以上が好ましく、１５℃以上がより好ましく、２０℃以上が更に好ましい。手洗い洗浄において、衣料の傷みが少ない点で、３５℃以下が好ましい。手洗い洗浄は一般的に、洗面器などの容器内で、衣料と洗浄液を接触させて手で衣料を洗う洗浄方法が挙げられる。洗浄液の容量（Ｌ）と衣料の質量（Ｋｇ）の比で表される浴比は、手洗い洗浄が行い易い点で、〔洗浄液の容量（Ｌ）〕／〔衣料の質量（Ｋｇ）〕が、１以上が好ましく、２以上が好ましく、３以上がより好ましい。泥汚れの洗浄性の点で１０以下が好ましく、７以下が好ましく、５以下がより好ましい。
【００２０】
＜泥汚れの洗浄性の向上方法＞
本発明の方法によればは、スルホン酸基又は硫酸エステル基及びそれらの塩から選ばれる基を有するアニオン界面活性剤を３００ｍｇ／ｋｇ以上、１０００ｍｇ／ｋｇ以下の量で含有し、ドイツ硬度が８°ｄＨ以上、１１°ｄＨ未満の水を用いて、泥汚れが付着した衣料を洗浄する洗浄工程において、更にドイツ硬度を３°ｄＨ以上、１０°ｄＨ以下増加させることによって、泥汚れの洗浄性の向上が図られる。ドイツ硬度を３°ｄＨ以上、１０°ｄＨ以下増加させる方法は、カルシウム塩及びマグネシウム塩から選ばれる１種以上であって、水に対する溶解度が１０℃において１０重量％以上の化合物を添加する方法である。
【００２１】
具体的にカルシウム塩を用いて水の硬度を１°ｄＨ増加させる方法を例示すると、水の全硬度において１°ｄＨ向上させるとは、水１リットル中のＣａＯの含有量を１０ｍｇ増加させることである。例えば塩化カルシウム（ＣａＣｌ2、分子量１１１）で、１リットルの水の硬度を１°ｄＨ増加させる為に必要な塩化カルシウムの必要量は以下の式で求められる。
【００２２】
Ｌ１＝１０×Ｍ１／Ｎ１
Ｌ１：水１リットルの硬度を１°ｄＨ向上させるのに必要な塩化カルシウムの添加量（ｍｇ）
Ｍ１：塩化カルシウムの分子量（１１１）
Ｎ１：ＣａＯ分子量（５６）
塩の種類が変わった場合には、前記式のＭ１を種々の塩に特有の値に置き換えて算出する。また、複数の塩を併用する場合でも、それぞれの塩の質量比を決めることで、上記の式を用いて同様に求めることができる。
【００２３】
本発明の方法によれば、洗浄液の硬度を３°ｄＨ以上、１０°ｄＨ以下増加させることで、泥汚れの洗浄性を高めることが出来る。増加させる硬度は泥汚れの洗浄性の点で３．５°ｄＨ以上が好ましく、４．０°ｄＨ以上が好ましく、４．５°ｄＨ以上が好ましく、５．０°ｄＨ以上が好ましく、５．５°ｄＨ以上が好ましく、６．０°ｄＨ以上が好ましく、６．５°ｄＨ以上が好ましく、また９．０°ｄＨ以下が好ましく、８．０°ｄＨ以下がより好ましい。
【００２４】
洗浄液の硬度を増加させる成分は、（Ｂ）成分、すなわちマグネシウム塩及びカルシウム塩から選ばれる１種以上の化合物であって、水に対する溶解度が１０℃において１０重量％以上の化合物である。本発明における水に対する溶解度は「化学便覧  基礎編II  改訂３版、財団法人  日本化学協会編、昭和６３年１１月２０日、第４刷」に記載の溶解度を用いた。水への溶解性及び化合物の入手性の点から、カルシウム塩としては、塩化カルシウム（溶解度：３９重量％（１０℃））が好ましい。マグネシウム塩としては、塩化マグネシウム（溶解度：３５重量％（１０℃））、硫酸マグネシウム（溶解度：２２重量％（１０℃））及び硝酸マグネシウム（溶解度：４０重量％（１０℃））が好ましい。カルシウム塩及びマグネシウム塩は無水物を使用しても良いし、水和物を使用しても良い。
【００２５】
アニオン界面活性剤中の（ａ１）成分と（ａ２）成分の質量比が、（ａ１）／（ａ２）の比で、５／１を超え、１０／０以下の場合には、泥汚れの洗浄性の増加の度合がより高い点で、洗浄液の硬度を増加させる成分はカルシウム塩が好ましい。また、（Ｂ）成分としてカルシウム塩と共にマグネシウム塩を併用しても良いが、泥汚れの洗浄性の増加の度合がより高い点で、（Ｂ）成分中のマグネシウムイオンとカルシウムイオンの質量比が、マグネシウムイオン／カルシウムイオンで、４／６未満が好ましく、３／７以下がより好ましく、２／８以下がより好ましく、１／９以下がより好ましく、そして０／１０以上が好ましい。
アニオン界面活性剤中の（ａ１）成分と（ａ２）成分の質量比が、（ａ１）／（ａ２）の比で、０／１０以上、５／１以下、更に２／１以下、更に１／１以下、更に３３／６７以下、更に３／７以下、更に２／８以下の場合には、泥汚れの洗浄性の増加の度合がより高い点で、洗浄液の硬度を増加させる成分はマグネシウム塩を含む（Ｂ）成分が好ましい。より好ましくは、（Ｂ）成分中のマグネシウムイオンとカルシウムイオンとの質量比が、マグネシウムイオン／カルシウムイオンで、４／６以上、更に５／５以上、更に６／４以上、更に７／３以上、更に８／２以上、更に９／１以上、そして１０／０以下の質量比である（Ｂ）成分が好ましい。
【００２６】
本発明において、洗浄液の硬度を増加させるに際して（Ｂ）成分を添加する好ましい方法としては、下記〔１〕〜〔３〕の方法が挙げられる。
〔１〕衣料の洗浄前又は衣料の洗浄開始時に（Ｂ）成分を（Ａ）成分のアニオン界面活性剤が混合された洗浄液に別途添加する方法。
〔２〕衣料の洗浄前又は衣料の洗浄開始時に（Ｂ）成分と（Ａ）成分のアニオン界面活性剤を含有する混合物を衣料の洗浄に使用する水に添加する方法。
〔３〕洗浄に使用する水と（Ｂ）成分を予め混合しておき、衣料の洗浄前又は衣料の洗浄開始時に（Ａ）成分を後から混合する方法。
衣料の洗浄前とは、衣料と洗浄液を接触させて、衣料を手洗い又は機械的洗浄手段により洗浄する操作を行う前を意味する。衣料の洗浄開始時とは、衣料と洗浄液を接触させて、衣料を手洗い又は機械的洗浄手段で洗浄する操作を始めるのと同時であることを意味する。
【００２７】
アニオン界面活性剤を含有する組成物を種々選択できる点で、〔１〕に記載の方法が好ましい。また、洗浄方法が簡便になる点で〔２〕記載の方法が好ましい。
【００２８】
＜任意成分＞
本発明の方法においては、上記（Ａ）成分及び（Ｂ）成分の他に、下記の成分を使用可能である。これらの成分は好ましくは（Ａ）成分と共に添加される。
〔キレート剤：（Ｃ）成分〕
本発明の効果を阻害しない程度にキレート剤を使用することが出来る。キレート剤としてはゼオライト及びトリポリ燐酸塩から選ばれる１種以上の化合物が好ましい。ゼオライトは結晶性アルミノ珪酸塩とも呼ばれる。具体的なゼオライトとしては、Ａ型、Ｘ型、Ｐ型ゼオライトが選ばれる。トリポリ燐酸塩の対イオンとしては、ナトリウムイオン及びカリウムイオンから選ばれるイオンが挙げられる。泥汚れの洗浄性の向上効果を得やすい点で、洗浄液中の（Ｃ）成分であるキレート剤の含有量は、（Ｃ）成分の質量と（Ｂ）成分中のカルシウムイオン及びマグネシウムイオンから選ばれる１種以上のイオンとの質量（（Ｂ１）と称する）との質量比で、（Ｃ）／（Ｂ１）＝１５以下が好ましく、１２以下がより好ましく、１０以下がより好ましく、８．０以下がより好ましく、５．０以下がより好ましく、３．０以下がより好ましく、２．０以下がより好ましく、０．８以下がより好ましく、０即ち（Ｃ）成分は含まないことが好ましい。
【００２９】
〔１価のアルカリ金属塩：（Ｄ）成分〕
本発明の方法による泥汚れの洗浄性を更に高める為に、（Ｄ）成分として、１価のアルカリ金属塩を洗浄液中に含有させることが出来る。１価のアルカリ金属塩として具体的な化合物は、１価のアルカリ金属炭酸塩（ｄ１）、１価のアルカリ金属塩化物（ｄ２）、及び１価のアルカリ金属硫酸塩（ｄ３）からなる群から選ばれる１種以上の化合物である。
【００３０】
１価のアルカリ金属炭酸塩（ｄ１）は、アルカリ剤として洗浄液中に添加することで、泥汚れの洗浄力を高める効果を有する。具体的な化合物としては、炭酸ナトリウム、及び炭酸カリウムから選ばれる１種以上の化合物が挙げられる。
【００３１】
１価のアルカリ金属塩化物（ｄ２）、１価のアルカリ金属硫酸塩（ｄ３）は、本発明の洗浄液中に添加されると、洗浄液中のイオン強度を高め、それによって泥汚れの洗浄性を高めることができる。１価のアルカリ金属塩化物（ｄ２）の具体的な化合物としては、塩化ナトリウム、及び塩化カリウムから選ばれる１種以上の化合物が挙げられる。また、１価のアルカリ金属硫酸塩（ｄ３）の具体的な化合物としては、硫酸カリウム、及び硫酸ナトリウムから選ばれる１種以上の化合物が挙げられる。
【００３２】
（Ｄ）成分としては、泥汚れの洗浄性の点で、１価のアルカリ金属炭酸塩（ｄ１）及び１価のアルカリ金属硫酸塩（ｄ３）から選ばれる１種以上の化合物が好ましい。洗浄液に添加して含有される１価のアルカリ金属塩の量は、泥汚れの洗浄性の点で、洗浄液中に５００ｍｇ／ｋｇ以上が好ましく、６００ｍｇ／ｋｇ以上がより好ましく、７００ｍｇ／ｋｇ以上がより好ましい。経済性の点で、３０００ｍｇ／ｋｇ以下が好ましく、２５００ｍｇ／ｋｇ以下が好ましく、２０００ｍｇ／ｋｇ以下がより好ましい。（Ｄ）成分の含有量は無水物換算とする。
【実施例】
【００３３】
実施例に使用した成分を下記に示す。
〔（Ａ）成分〕
（ａ１−１）：ドデシルベンゼンスルホン酸ナトリウム〔（ａ１）成分〕
（ａ２−１）：アルキル硫酸ナトリウム〔（ａ２）成分、アルキル基の組成：ラウリル基／ミリスチル基／パルミチル基＝６７／２８／５（質量比）〕
【００３４】
〔（Ｂ）成分〕
（ｂ−１）：硫酸マグネシウム
（ｂ−２）：塩化カルシウム
【００３５】
〔（Ｃ）成分〕
（ｃ−１）：ゼオライト〔４Ａ型ゼオライト、平均粒子径３μｍ（東ソー（株）製）〕
（ｃ−２）：トリポリリン酸ナトリウム
【００３６】
〔（Ｄ）成分〕
（ｄ１−１）：炭酸ナトリウム
（ｄ３−１）：硫酸ナトリウム
【００３７】
・泥汚れ洗浄力評価
＜泥汚染布の調製＞
10ｃｍ×10ｃｍの綿メリヤス（綿１００％、谷頭商店より購入）を用いて、特開平１０−２０４７６９号の段落００３０〜００３８に記載の製法により泥汚染布を調製し、人工汚染布として使用した。
【００３８】
＜洗浄力試験操作＞
試験例１
（Ｂ）成分を添加しない場合の洗浄力
温度が３０℃であり、硬度が１０°ｄＨ（Ｃａ／Ｍｇ＝６／４、質量比）の水５Ｌを直径３６ｃｍ、深さ１３ｃｍ、容量１１Ｌのポリプロピレン製洗面器に投入した。洗面器内の水に、（Ａ）成分、（Ｃ）成分及び（Ｄ）成分を投入し、（Ａ）成分、（Ｃ）成分、（Ｄ）成分が表１に示す濃度で含有されるようにした。水が洗面器より飛散しないように洗面器の内壁を擦るように１０回／５秒の回転数で３０秒間、手で攪拌し、各成分を均一に分散又は溶解させ、洗浄液を調製した。泥汚染布１枚をＬサイズのグンゼＹＧ肌着１枚に縫い付けた。この肌着を５枚用意し、前記洗浄液中に３０分間浸漬した。浸漬後に、洗濯者が、肌着に縫い付けられた泥汚染布同士を擦り合わせながら、５０回手で擦った。その時の擦り力は、比較試験例１において（Ｂ）成分を含有しない洗浄液を用いて、同様に擦り合わせたときの泥汚染布に対する洗浄力、即ち表１の「洗浄率１（％）：（Ｂ）成分添加なし」の値が６０％になる擦り力である。その後、肌着を、前記と同様の別の洗面器に入れた、温度が３０℃で硬度が１０°ｄＨ（Ｃａ／Ｍｇ＝６／４、質量比）の水５Ｌに入れた。１枚の肌着の首部をつかみ、水から出し入れするすすぎ操作を１０回行った。５枚の肌着それぞれに前記操作を行った。肌着を手で絞った後、泥汚染布を肌着から取り外し、プレス乾燥機で乾燥後、泥汚染布に対する洗浄力を測定した。
【００３９】
洗浄力は、汚染前の原布、及び泥汚染布の洗浄前後の５５０ｎｍにおける反射率を測色色差計（日本電色株式会社製 Ｚ−３００Ａ）にて測定し、次式によって洗浄率（％）を求めることによって評価した（洗浄率１）。洗浄率は５０％以上が合格ラインであり、数値が高い方がより好ましい。
洗浄率（％）＝１００×［（洗浄後の泥汚染布の反射率−洗浄前の泥汚染布の反射率）／（原布の反射率−洗浄前の泥汚染布の反射率）］
【００４０】
（Ｂ）成分を添加した場合の洗浄力
次いで、前記の「（Ｂ）成分を添加しない場合の洗浄力」の操作において（Ａ）成分、（Ｃ）成分、（Ｄ）成分と共に（Ｂ）成分を投入することによって洗浄液が（Ｂ）成分を表１に示す割合で含有するようにした。それ以外は同様にして、上記の洗浄液の調製、肌着の浸漬、擦り、すすぎ操作を行い、泥汚染布に対する洗浄力を評価し（洗浄率２）、洗浄率１からの洗浄力の向上度合いを求めた。
【００４１】
試験例２〜１０及び比較試験例１
（Ａ）成分、（Ｂ）成分、（Ｃ）成分、（Ｄ）成分及びそれらの割合として表１に示すものを用い、試験例１と同様に（Ｂ）成分を添加しない場合及び添加した場合のそれぞれについて洗浄力を測定した。結果をまとめて表１に示す。
「洗浄力２−洗浄力１（％）」の値が２以上が合格であり、値が大きい方がより好ましい。
【００４２】
【表１】
2015124259.tif 000002